(57)【要約】      （修正有）【課題】操作部材を自由な位置に配置して使用する電子機器において、操作部材の移動や機能停止を容易に行える撮像装置を提供する。【解決手段】タッチパネル機能を有する表示部１１上に着脱可能な操作部材２３０と、操作部材２３０の着脱および操作に応じて生じる静電容量変化を検知する検知手段と、操作部材２３０の装着位置と、操作された時の静電容量変化、静電容量変化の数、形状、配置からなる情報を記憶する記憶部と、操作部材２３０が取り付けられていることを示す操作部材表示２２１を表示する表示制御部とを備えた撮像装置１００において、撮像装置１００から、操作部材２３０が取り外されたことを検知し、取り外される前の位置と異なる位置に装着された時、位置の差が所定の値より小さい場合、操作部材２３０の位置情報を変更し記憶部に記憶する。【選択図】図１
2019075637.tif 000002
【特許請求の範囲】
【請求項１】
タッチパネル機能を有する表示部（１１）と、
前記表示部（１１）上に着脱配置可能な操作部材（２３０）と、
前記操作部材（２３０）着脱、および、操作部材（２３０）の操作に応じて生じる静電容量変化を検知する検知手段（２００）と、
前記表示部（１１）に装着した操作部材（２３０）の装着位置と前記操作部材（２３０）が操作された時に、前記表示部（１１）に生じる静電容量変化、および、静電容量変化の数、形状、配置からなる固有情報を記憶する記憶部（２０１）と、
前記表示部（１１）の前記操作部材（２３０）の装着位置に操作部材（２３０）が取り付けられていることを示す操作部材表示（２２１）を表示する表示制御部（２０８）と、
を備えた撮像装置（１００）において、
前記撮像装置（１００）から、前記操作部材（２３０）が取り外されたことを検知し、取り外される前の第１の位置と異なる第２の位置に装着された時の距離が、所定の距離より小さい場合、前記操作部材（２３０）の位置情報を前記第１の位置から第２の位置に変更し、この変更された情報を記憶部（２０１）に、記憶し直すことを特徴とする撮像装置（１００）。
【請求項２】
タッチパネル機能を有する表示部（１１）と、
前記表示部（１１）上に着脱配置可能な操作部材（２３０）と、
前記操作部材（２３０）着脱、および、操作部材（２３０）の操作に応じて生じる静電容量変化を検知する検知手段（２００）と、
前記表示部（１１）に装着した操作部材（２３０）の装着位置と前記操作部材（２３０）が操作された時に、前記表示部（１１）に生じる静電容量変化、および、静電容量変化の数、形状、配置からなる固有情報を記憶する記憶部（２０１）と、
前記表示部（１１）の前記操作部材（２３０）の装着位置に操作部材（２３０）が取り付けられていることを示す操作部材表示（２２１）を表示する表示制御部（２０８）と、
を備えた撮像装置（１００）において、
前記撮像装置（１００）から、前記操作部材（２３０）が取り外されたことを検知し、取り外される前の第１の位置と異なる第２の位置に装着された時の距離が、所定の距離より大きい場合、前記操作部材（２３０）の機能をユーザーに確認することを特徴とする撮像装置（１００）。
【請求項３】
前記所定の動作の途中で割り込み処理が発生した場合、前記表示部（１１）の前記操作部材（２３０）が装着されていた位置に、前記操作部材（２３０）と同等の機能でタッチ操作可能なタッチ操作部（８２０）を設けることを特徴とする請求項１又は請求項２に記載の撮像装置（１００）。
【請求項４】
前記所定の動作の途中で割り込み処理が発生した場合、前記操作部（２３０）の機能の停止および操作の受付を停止することを特徴とする請求項１又は請求項２に記載の撮像装置（１００）。
【請求項５】
前記所定の動作の途中で割り込み処理が発生した場合、割り込み処理が終了後に、前記操作部材（２３０）の機能をユーザーが再選択可能にすることを特徴とする請求項１又は請求項２に記載の撮像装置（１００）。
【請求項６】
タッチパネル機能を有する表示部（１１）と、
前記表示部（１１）上に着脱配置可能な操作部材（２３０）と、
前記操作部材（２３０）着脱、および、操作部材（２３０）の操作に応じて生じる静電容量変化を検知する検知手段（２００）と、
前記表示部（１１）に装着した操作部材（２３０）の装着位置と前記操作部材（２３０）が操作された時に、前記表示部（１１）に生じる静電容量変化、および、静電容量変化の数、形状、配置からなる固有情報を記憶する記憶部（２０１）と、
前記表示部（１１）に、人が直接指で触った時に所定の動作を実行するタッチ操作部（８２０）を表示可能であり、前記表示部（１１）の前記操作部材（２３０）の装着位置に、操作部材（２３０）が取り付けられていることを示す操作部材表示（２２１）を表示する表示制御部（２０８）と、
を備えた撮像装置（１００）において、
前記撮像装置（１００）から、前記操作部材（２３０）が取り外されたことを検知してから所定の時間経過した場合、操作部材（２３０）の機能の停止および操作の受付を停止することを実行することを特徴とする撮像装置（１００）。
【請求項７】
タッチパネル機能を有する表示部（１１）と、
前記表示部（１１）上に着脱配置可能な操作部材（２３０）と、
前記操作部材（２３０）着脱、および、操作部材（２３０）の操作に応じて生じる静電容量変化を検知する検知手段（２００）と、
前記表示部（１１）に装着した操作部材（２３０）の装着位置と前記操作部材（２３０）が操作された時に、前記表示部（１１）に生じる静電容量変化、および、静電容量変化の数、形状、配置からなる固有情報を記憶する記憶部（２０１）と、
前記表示部（１１）に、人が直接指で触った時に所定の動作を実行するタッチ操作部（８２０）を表示可能であり、前記表示部（１１）の前記操作部材（２３０）の装着位置に、操作部材（２３０）が取り付けられていることを示す操作部材表示（２２１）を表示する表示制御部（２０８）と、
を備えた撮像装置（１００）において、
前記撮像装置（１００）から、前記操作部材（２３０）が取り外されたことを検知してから所定の時間経過した場合、操作部材表示（２２１）を、タッチ操作可能なタッチ操作部（８２０）に変更することを特徴とする撮像装置（１００）。
【請求項８】
前記所定の動作の途中で割り込み処理が発生した場合、前記表示部（１１）の前記操作部材（２３０）が装着されていた位置に、前記操作部材（２３０）と同等の機能でタッチ操作可能なタッチ操作部（８２０）に変更することを特徴とする請求項６又は請求項７に記載の撮像装置（１００）。
【請求項９】
前記所定の動作の途中で割り込み処理が発生した場合、前記操作部（２３０）の機能の停止および操作の受付を停止することを特徴とする請求項９乃至１１の何れか一項に記載の撮像装置（１００）。
【請求項１０】
前記撮像装置（１００）は、前記操作部材（２３０）が取り外されたことを検知すると、前記操作部材表示（２２１）を変更することを特徴とする請求項１乃至請求項９の何れか一項に記載の撮像装置（１００）。
【請求項１１】
前記撮像装置（１００）は、前記撮像装置（１００）から前記操作部材（２３０）が取り外された事を検知した後も、前記操作部材表示（２２１）を表示し続けることを特徴とする請求項１乃至請求項１０の何れか一項に記載の撮像装置（１００）。
【請求項１２】
少なくとも一部の表面が導電性を有した導電部を含むキートップ部（２３１）と、平滑に形成され、平滑面に対して装着されるための吸着部（２３２ａ）と、前記吸着部（２３２ａ）が前記表示部（１１）に装着された時に、前記表示部（１１）と接触または近接した位置にあり、前記導電部と電気的に接続された接触時静電容量変化部（２３４）と、
ユーザーが押し操作をしたときに、表示部（１１）に接触または、近接した位置に移動する操作時静電容量変化部（２３３）を有することを特徴とする操作部材（２３０）。
【請求項１３】
前記操作部材（２３０）において、前記接触時静電容量変化部（２３４）の数、形状、配置が異なる複数種の操作部材（２３０）の固有情報を前記記憶部（２０１）に少なくとも一つを記憶している事を特徴とする請求項１乃至請求項１２の何れか一項に記載の撮像装置（１００）。
【請求項１４】
前記撮像装置（１００）は、接触時静電容量変化部（２３４）の固有情報を検出し、それが前記記憶部（２０１）に記憶された固有情報のいずれかと一致する場合、検出した固有情報の種類に応じて前記操作部材（２３０）に特定の機能を割り当てることを特徴とする請求項１２又は請求項１３に記載の撮像装置（１００）。
【請求項１５】
前記撮像装置（１００）は、前記接触時静電容量変化部（２３４）が複数形成された前記操作部材（２３０）が装着され、前記接触時静電容量変化部（２３４）に静電容量の変化を検出した後、少なくとも一つの接触時静電容量変化部（２３４）の静電容量が、その他の接触時静電容量変化部（２３４）と同時ではないタイミングで非検出になった場合、前記操作部材（２３０）が取り外されたと判断し、操作部材（２３０）の機能の停止および操作の受付を停止することを特徴とする撮像装置（１００）。
【請求項１６】
前記撮像装置（１００）は、前記接触時静電容量変化部（２３４）が複数形成された前記操作部材（２３０）が装着され、前記接触時静電容量変化部（２３４）に静電容量の変化を検出した後、少なくとも一つの接触時静電容量変化部（２３４）の静電容量が、その他の接触時静電容量変化部（２３４）と同時ではないタイミングで非検出になった場合、前記操作部材（２３０）が取り外されたと判断し、操作部材（２３０）の機能をユーザーに確認することを特徴とする撮像装置（１００）。
【請求項１７】
前記所定の動作の途中で割り込み処理が発生した場合、前記表示部（１１）の前記操作部材（２３０）が装着されていた位置に、前記操作部材（２３０）と同等の機能でタッチ操作可能なタッチ操作部（８２０）を設けることを特徴とする請求項１５又は請求項１６に記載の撮像装置（１００）。
【発明の詳細な説明】
【技術分野】
【０００１】
本発明は、撮像装置に関し、特にユーザーが操作部材をタッチパネル上の自由な位置に装着して操作可能な撮像装置に関する。
【背景技術】
【０００２】
近年多くの撮像装置（デジタルカメラ等）はタッチパネル液晶を採用しており、投影面積におけるタッチパネル液晶面積を拡大する傾向にある。特に最近では、タッチパネル面積拡大のため押しボタンやダイヤルなどの操作部材を排し、一面のほとんどをタッチパネルが占めるような撮像装置が製品化されている。
【０００３】
これらの撮像装置を使用してユーザーが写真撮影をする場合に、ファインダを覗いたまま撮影条件の設定や撮影指示をすることがある。このとき、操作部材を排した撮像装置であった場合、操作はタッチパネルによるので、ユーザーは感触で操作位置を確認することが困難になる。そのため設定や撮影指示のときには一度液晶画面に目を向ける必要があり、被写体に集中することが難しい。
【０００４】
これらに対し、特許文献１には、操作部材がタッチパネル上と、タッチパネル上にない位置に退避する撮像装置が提案されている。
【０００５】
また、タッチパネル上の操作部に、ユーザーが後から操作部材を取り付けて、押しボタンのように操作可能にする操作部材が考案され、スマートフォンのゲーム用途に製品化されている。
【先行技術文献】
【特許文献】
【０００６】
【特許文献１】特開２００８−１０９４３９号公報
【発明の概要】
【発明が解決しようとする課題】
【０００７】
しかしながら、上記の特許文献１に開示された従来技術では、予め決まった形の操作部材パネルを使用するため、操作部材の移動ができない。また、不必要な操作部材を取り除くことができず使い勝手に問題があった。ユーザーが後から取り付けて使用する操作部材では、電子機器が操作部材を認識していないため、操作部材を移動したり、取り外して機能停止をしたいときにはメニュー画面でタッチ操作部の移動や機能停止の設定をする必要があり、使い勝手に問題があった。
【０００８】
そこで、本発明の目的は、操作部材を自由な位置に配置して使用する撮像装置において、操作部材の移動や機能停止を容易に行えるようにすることである。
【課題を解決するための手段】
【０００９】
上記の目的を達成するために、本発明に係る撮像装置は、
タッチパネル機能を有する表示部（１１）と、
前記表示部（１１）上に着脱配置可能な操作部材（２３０）と、
前記操作部材（２３０）着脱、および、操作部材（２３０）の操作に応じて生じる静電容量変化を検知する検知手段（２００）と、
前記表示部（１１）に装着した操作部材（２３０）の装着位置と前記操作部材（２３０）が操作された時に、前記表示部（１１）に生じる静電容量変化、および、静電容量変化の数、形状、配置からなる固有情報を記憶する記憶部（２０１）と、
前記表示部（１１）の前記操作部材（２３０）の装着位置に操作部材（２３０）が取り付けられていることを示す操作部材表示（２２１）を表示する表示制御部（２０８）と
を備えた撮像装置（１００）において、
前記撮像装置（１００）から、前記操作部材（２３０）が取り外されたことを検知し、取り外される前の第１の位置と異なる第２の位置に装着された時の距離が、所定の距離より小さい場合、前記操作部材（２３０）の位置情報を前記第１の位置から第２の位置に変更し、この変更された情報を記憶部（２０１）に、記憶し直すことを特徴とする。
【発明の効果】
【００１０】
本発明によれば、操作部材を自由な位置に配置して使用する撮像装置において、操作部材の移動や機能停止を容易に行うことが出来る。
【図面の簡単な説明】
【００１１】
【図１】本発明のデジタルカメラ１００の背面図である。
【図２】本発明のデジタルカメラ１００のブロック図である。
【図３ａ】本発明のデジタルカメラ１００のタッチパネル１１に装着可能な操作部材２３０の第１の形態の外観斜視図である。
【図３ｂ】本発明のデジタルカメラ１００のタッチパネル１１に装着可能な操作部材２３０の第１の形態の外観正面図である。
【図３ｃ】本発明のデジタルカメラ１００のタッチパネル１１に装着可能な操作部材２３０の第１の形態の断面図である。
【図４ａ】操作部材２３０の第２の形態の外観斜視図である。
【図４ｂ】操作部材２３０の第２の形態をデジタルカメラ１００のタッチパネル１１に装着した時の断面図である。
【図５】第２の形態の操作部材２３０をタッチパネル１１から操作部材２３０が取り外される時の動作を説明するための図である。
【図６】本発明のデジタルカメラ１００において、操作部材２３０を移動する際のフローチャートである。
【図７ａ】本発明のデジタルカメラ１００から操作部材２３０を取り外して再配置する位置と、所定の領域Ｐとの関係を示す図である。
【図７ｂ】本発明のデジタルカメラ１００から操作部材２３０を取り外して再配置する位置と、所定の領域Ｐとの関係を示す図である。
【図７ｃ】本発明のデジタルカメラ１００から操作部材２３０を取り外して再配置する位置と、所定の領域Ｐとの関係を示す図である。
【図８ａ】図６のフローチャートのＳ８０３を説明するためのタッチパネル１１の背面図である。
【図８ｂ】図６のフローチャートのＳ８０４を説明するためのタッチパネル１１の背面図である。
【図８ｃ】図６のフローチャートのＳ８０５を説明するためのタッチパネル１１の背面図である。
【図９】本発明のデジタルカメラ１００において、操作部材２３０を取外して機能を停止する際のフローチャートである。
【図１０ａ】図９のフローチャートを説明するための、タッチパネル１１の背面図である。
【図１０ｂ】図９のフローチャートを説明するための、タッチパネル１１の背面図である。
【図１０ｃ】図９のフローチャートを説明するための、タッチパネル１１の背面図である。
【図１０ｄ】図９のフローチャートを説明するための、タッチパネル１１の背面図である。
【図１０ｅ】図９のフローチャートを説明するための、タッチパネル１１の背面図である。
【図１０ｆ】図９のフローチャートを説明するための、タッチパネル１１の背面図である。
【図１０ｇ】図９のフローチャートを説明するための、タッチパネル１１の背面図である。
【図１０ｈ】図９のフローチャートを説明するための、タッチパネル１１の背面図である。
【図１０ｉ】図９のフローチャートを説明するための、タッチパネル１１の背面図である。
【図１０ｊ】図９のフローチャートを説明するための、タッチパネル１１の背面図である。
【図１１】図９のフローチャートへの割り込み処理を示すフローチャートである。
【図１２】本発明の第２の実施例でのデジタルカメラ１００に操作部材２３０を装着した状態を示す背面図である。
【図１３】本発明の第２の実施例でのデジタルカメラ１００の操作部材２３０を移動する際のフローチャートである。
【図１４】本発明のデジタルカメラ１００において、操作部材２３０を取り外して機能を停止する際のフローチャートである。
【発明を実施するための形態】
【００１２】
以下に、本発明の好ましい実施の形態を、添付の図面に基づいて詳細に説明する。
【実施例１】
【００１３】
図１は、本発明の実施形態に関わるデジタルカメラ１００の背面図である。
【００１４】
図１において、１１はタッチパネルで、デジタルカメラ１００の表示とタッチ操作部に使用する。１２はレリーズスイッチで、デジタルカメラ１００に撮像の指示をするために使用する。１３は電子ダイヤルで、デジタルカメラ１００の設定を変更するために使用する。設定の他にもシャッタ速度や絞り値などの撮影パラメータを変更するために使用しても良い。１４はアクセサリ装置取り付け部で、不図示のストロボ装置やファインダ装置などからなるアクセサリ装置を取り付けて使用することが可能である。
【００１５】
次に図２を用いてカメラ１００のシステムを説明する。
【００１６】
図２において、２００はシステム制御部で、デジタルカメラ１００全体を制御する。
【００１７】
２０１は不揮発性メモリで、システム制御部２００は不揮発性メモリ２０１に記録されたプログラムにより各処理を実行する。
【００１８】
２０２はシステムメモリで、ＲＡＭが用いられる。システムメモリ２０２には、システム制御部２００の動作用の定数、変数、不揮発性メモリ２０１から読み出したプログラム等を展開するのに使用する。
【００１９】
２０３は撮像部で、光学像を電気信号に変換するＣＣＤやＣＭＯＳ等の撮像素子と、光学像を撮像素子に結像させるレンズ、光量を調整するシャッタ装置、絞り装置等で構成される。
【００２０】
２０４はＡ／Ｄ変換器で、撮像部２０３から出力されるアナログ信号をデジタル信号に変換するために用いられる。
【００２１】
２０５は画像処理部、２０６はメモリ、２０７はメモリ制御部である。Ａ／Ｄ変換器２０４から出力したデジタル信号は、画像処理部２０５、メモリ制御部２０７を介してメモリ２０６に書き込まれる。また、メモリ２０６は所定枚数の静止画像や所定時間の動画像および音声を格納するのに十分な記憶容量を備えている。さらに画像処理部２０５はＡ／Ｄ変換器２０４からのデータ、又は、メモリ２０６からのデータに対し画素補間、縮小といったリサイズ処理や色変換処理を行うことが可能である。
【００２２】
また、システム制御部２００は画像データを用いて演算処理を行い、得られた演算結果に基づいて露光制御、測距制御を行うことが可能である。これにより、ＡＦ（オートフォーカス）処理、ＡＥ（自動露出）処理、ＥＦ（フラッシュプリ発光）処理が行われる。
【００２３】
２０８は表示制御部で、メモリ制御部２０７からの表示データをタッチパネル１１に表示する制御や、システム制御回路２００の指示により、タッチパネル１１にタッチ操作部を表示する制御を行う。本実施例においては表示制御部２０８を独立して設けているがシステム制御部２００に組み込んでも良い。
【００２４】
２３０は操作部材で、ユーザーがタッチパネル１１上に自由に配置して使用可能である。操作部材２３０が装着される位置は、表示制御部２０８を介して不揮発性メモリ２０１に記憶される。不揮発性メモリ２０１は請求項に記載の記憶部に相当する。また、表示制御部２０８は、操作部材２３０が装着された位置に、操作部材２３０が装着された事を示す操作部材表示２２１を表示する。操作部材２３０は、ユーザーが触る部分が導電材料で形成されており、操作時には操作部材の形状に応じてタッチパネル１１上の静電容量を変化させる。また、操作部材２３０には、ユーザーの要求に応じて様々な機能の割り当てが可能である。割り当て可能な機能の例として、ＡＦ（自動焦点）開始、ＡＥ（自動露出）開始、画像再生、画像消去、測距エリア変更、測距モード変更、連写モード変更等が挙げられるが、その他の機能を割り当て可能にしても構わない。本実施例においては、操作部材２３０にはＡＦ開始の機能を割り当てることとする。
【００２５】
電源制御部２０９は、電池検出回路、ＤＣ−ＤＣコンバータ、通電するブロックを切り替えるスイッチ回路等により構成され、電源部２１０の装着の有無、電源部２１０の種類、電源部２１０の残量の検出を行う。
【００２６】
電源部２１０は、アルカリ電池やリチウム電池等の一次電池やＮｉＣｄ電池やＮｉＭＨ電池、Ｌｉ電池等の二次電池、ＡＣアダプター等からなる。
【００２７】
２５０はストロボ装置やファインダ装置などのアクセサリ装置であり、アクセサリ取付け部１４に取り付けられる。
【００２８】
図３ａは、操作部材２３０の外観斜視図である。
【００２９】
２３１はキートップで、ユーザーが押し操作をする操作部として使用する。
【００３０】
２３２はクリック吸着部で、吸着部２３２ａとクリック部２３２ｂからなる。本実施例においてクリック吸着部２３２は、シリコーンゴムなどの弾性部材で、キートップ２３１に一体に成形されているが、別パーツにしてキートップ２３１と組み付ける構成にしても良い。本実施例では、吸着部２３２ａは平滑に形成されており、タッチパネル１１に密着して空気圧により装着することが可能になっているが吸着部２３２ａは弱粘性を有する別部材でも良い。クリック部２３２ｂはユーザーがキートップ２３１を押し操作した時にクリック感を付与するように形成されている。２３３は操作時静電容量変化部で、２３４ａおよび２３４ｂは接触時静電容量変化部である。キートップおよび、操作時静電容量変化部２３３と接触時静電容量変化部２３４はエラストマーのような弾性導電材料で形成されており、ユーザーがキートップに接触するとそれぞれの電位が変化する。
【００３１】
図３ｂは操作部材２３０をタッチパネル１１に取り付ける直前の図である。
【００３２】
接触時静電容量変化部２３４ａおよび２３４ｂは吸着部２３２ａより突出し、さらに接触時静電容量変化部２３４ａおよび２３４ｂの突出量はそれぞれ異なるように形成されている。接触時静電容量変化部２３４ａおよび２３４ｂの突出量が異なることにより、図５で後述する操作部材２３０を取り外すときの静電容量の変化をタッチパネル１１が検知する事ができる。
【００３３】
図３ｃは操作部材２３０をタッチパネル１１に装着した時の断面図である。
【００３４】
接触時静電容量変化部２３４ａの方が接触時静電容量変化部２３４ｂに比べて突出量が大きいため、タッチパネル１１に装着した時の接触面積も大きくなっている。ここで接触時静電容量変化部２３４ａと２３４ｂとで接触面積を変化させる理由は、操作部材２３０を取り外すときのデジタルカメラの動作に関するもので、図５を用い後に説明する。
【００３５】
デジタルカメラ１００は接触時静電容量変化部の形状２３４ａおよび２３４ｂの形状パターンを含め、予めデジタルカメラ１００に装着可能な操作部材２３０の接触時静電容量変化部の数、形状、配置からなる形状パターンを複数記憶してある。
【００３６】
本実施例では、接触時静電容量変化部の形状を単純な長方形で、数を２つとし、大きさが異なるといった形状パターンであったが、例えば接触部の形状は三角形でもよく、数も２つ以上の複数でもよく、本実施例によって限定されるものではない。
【００３７】
図３ａでは接触時静電容量変化部２３４を操作時静電容量変化部２３３と一体に形成したが、図４ａ、図４ｂのようにクリック吸着部２３２に形成しても良い。また、図３ｃ記載の２３０ｄは、後述する図７の円中心の中心線に使用される。
【００３８】
図４ａはクリック吸着部２３２に接触時静電容量変化部２３４を形成した場合の斜視図で、図４ｂはタッチパネル１１に装着した時の断面図である。
【００３９】
クリック吸着部２３２上に、キートップ２３１の少なくとも一部とオーバーラップする導電層により接触時静電容量変化部２３４を形成し、さらに吸着部２３２ａと同一面まで一体に形成する。
【００４０】
以上の構成にすることでユーザーがキートップ２３１に触れた場合、接触時静電容量変化部２３４の静電容量が変化する。
【００４１】
次に、図５を用いてデジタルカメラ１００から操作部材２３０を取り外す時のデジタルカメラ１００の動作について説明する。操作部材２３０の形状は、図３、４で示したものを使用する。
【００４２】
図５ａ、図５ｂ、図５ｃ、図５ｄにおいて、各図中左側はユーザーが操作部材２３０を触った時のタッチパネル１１上の静電容量変化の検出形状を示している。
【００４３】
各図中右側はユーザーの動作による接触時静電容量変化部の検出状態の変化を示している。破線は静電容量の変化が非検出になった部分を示している。図中左側はユーザーが操作部材２３０を取り外す時に、操作部材２３０を触ると接触時静電容量変化部２３４ａおよび２３４ｂの静電容量が変化し、デジタルカメラ１００はユーザーが操作部材２３０を触っていることを検知する。
【００４４】
次にユーザーが操作部材２３０をタッチパネル１１から取り外す時、図３ｂに示されるように接触時静電容量変化部２３４が２つ形成されているのと、突出量の違いにより同時に取り外すことが困難である。そのため、図５ａまたは図５ｂに示されるように接触時静電容量変化部２３４ａおよび２３４ｂが同時でないタイミングで静電容量変化が非検出になるか、図５ｃに示されるように接触時静電容量変化部２３４が徐々に非検出になっていく。
【００４５】
また、図４ａの操作部材を用いた場合においても、接触時静電容量変化部２３４が操作部材２３０の全周に形成されているため、図５ｃに示されるように接触時静電容量変化部２３４が徐々に非検出になっていく。
【００４６】
システム制御回路２００は、このような静電容量の変化を検出した後で接触時静電容量変化部２３４が全て非検出になった場合、操作部材２３０がタッチパネル１１から取り外されたと判断する。
【００４７】
ユーザーが操作部材２３０に触って、操作部材２３０を取り外すことなく手を離した場合は、図５ｄに示されるように接触時静電容量変化部２３４の静電容量が全ての面で同時に非検出になる。このときシステム制御回路２００はユーザーが手を離しただけであると判断し特別な動作は実行しない。
【００４８】
このように接触時静電容量変化部２３４ａおよび２３４ｂとで突出量を変えることで、接触面積を変化させることができ、加えて前記図５で説明した検出手段を用いればユーザーが操作部材２３０を取り外したことを、デジタルカメラ１００は検出する事ができる。
【００４９】
次に特に図示はしないが、操作時静電容量変化部２３３について説明する。
【００５０】
操作時静電容量変化部２３３は吸着部２３２ａよりもタッチパネル１１から離れた位置に形成されている。
【００５１】
そのためユーザーがキートップ２３１に接触しただけでは、タッチパネル１１上での操作時静電容量変化部２３３と対向する面の静電容量変化は、接触時静電容量変化部に対して小さくなる。
【００５２】
この状態でユーザーがキートップ２３１を押し操作すると、タッチパネル１１と操作時静電容量変化部２３３が近づいていき、タッチパネル１１上で操作時静電容量変化部２３３の形状に応じた形状で静電容量が変化する。静電容量変化が所定の値を超えると、システム制御回路２００は所定の動作を実行する。
【００５３】
次に図６から図８ｃを用いて本実施例における、操作部材を移動するときのデジタルカメラ１００の動作について説明する。
【００５４】
図６は本発明のデジタルカメラ１００の操作部材２３０を移動するときのフローチャートである。
【００５５】
図５ですでに説明したように、ユーザーが操作部材２３０を取り外したことをタッチパネル１１は検知し、さらに操作部材２３０が再度タッチパネル１１に装着された場合において、一度操作部材２３０を操作するとタッチパネル１１は操作部材２３０が装着されたことを検知し、図６に記載されたフローが実行される。フローが開始すると、Ｓ８０１へ進む。
【００５６】
Ｓ８０１での動作について、図７ａ、ｂ、ｃを用いて説明する。
【００５７】
図７ではそれぞれの円中心に中心線を示しているが、これはタッチパネル１１に表示してもしなくても良い。この円中心は、図３ｃおよび図４ｂに記載の２３０ｄから算出する事ができる。図３ｃに記載の２３０ｄの場合、接触時静電容量変化部２３４ａと２３４ｂの２点を直線で結びその中点を中心とすれば良い。また、図４ｂに記載の２３０ｄの場合、接触時静電容量変化部２３４は円径の形状となっているため、その外形中心を取れば良い。
また、本実施例において中心線は説明のために表示している。
【００５８】
Ｓ８０１では、再度装着された位置が、所定の範囲Ｐの内側か外側かを判定する。図７ａ、ｂでは、所定の範囲Ｐを、操作部表示２２１と同一径の範囲としている。所定の範囲Ｐは、例えば図７ｃのように操作部材表示２２１と異なるようにしても良い。また所定の範囲Ｐの形状は円形や多角形などでもよく、本実施例で限定されない。所定の範囲Ｐが、操作部材表示２２１の形状と異なる場合は、図７ｃのように、所定の範囲Ｐを示す表示するのが好ましい。図７ａでは再度装着した操作部材２３０の中心位置が、所定の範囲Ｐの内側にある状態を示している。図７ｂでは、再度装着した操作部材２３０の中心位置が、所定の範囲Ｐの外側にある状態を示している。図７ａに図示した所定の範囲Ｐの内側に操作部材２３０が再配置された場合はＳ８０２へ進み、図７ｂに図示した所定の範囲Ｐの外側に再配置された場合は、Ｓ８０３へ進む。
【００５９】
尚、本実施例では操作部材２３０の再装着位置が所定の範囲Ｐの内側か外側かを判定するのに、操作部材２３０の中心を使用しているが、これに限定されるものではない。例えば操作部材２３０の外周すべてが所定の範囲Ｐに含まれるかどうかを判定条件にしても構わない。
【００６０】
Ｓ８０２で、操作部材２３０が再度装着された事をデジタルカメラ１００は検知し、再度装着した位置情報を不揮発性メモリ２０１に記憶し直す。この時、操作部表示２２１を再度装着した位置まで移動しＳ８０６へ進み、フローを終了する。Ｓ８０２ではユーザーが操作部材２３０の配置を微修正したとき、あらかじめ割り当てられた機能を再配置後も引き継ぐことができるため機能の再割り当てという作業の煩わしさを改善する事が可能となる。
【００６１】
Ｓ８０３を、図８ａを用いて説明する。
【００６２】
Ｓ８０３では、操作部材２３０が所定の範囲Ｐよりも外側に取り付けられているので、同一機能の操作部材２３０を微修正させたのか、それとも別の機能を割り当てるために操作部材２３０を移動させたのかを判断する事ができる。デジタルカメラ１００は所定の範囲Ｐより外側に操作部材２３０が再装着された事を検知し、機能の再割り当てを実施する。移動前と同じ機能を割り当てる場合は、再度装着した位置情報を不揮発性メモリ２０１に記憶し直しＳ３０２へ移行する。取外し前と別の機能を割り当てる場合はＳ８０４へ移行する。デジタルカメラ１００はタッチパネル１１に例えば「タッチパネルにボタンの装着を検出しました。機能の割り当てを選択してください。」、「ＡＦ開始機能を割り当てる」、「その他の機能を割り当てる」と表示され「ＡＦ開始機能を割り当てる」を選択すると、Ｓ８０２へ進み「その他の機能を割り当てる」を選択すると、Ｓ８０４へ進むという表示にしても良い。
【００６３】
Ｓ８０４を、図８ｂを用いて説明する。Ｓ８０４では、ユーザーが再装着前の機能と異なる機能を新たに選択する事が可能である。そこで、操作部材２３０に割り当て可能な機能をタッチパネル１１に一覧表示する。本実施例では６種類の機能を表示しているが、数や種類を限定するものではない。ユーザーが所望の機能を選択すると、Ｓ８０５へ進む。
本実施例では「測距モード変更」を選択したとする。
【００６４】
Ｓ８０５を、図８ｃを用いて説明する。Ｓ８０５では、ユーザーが再配置した位置情報と選択した機能を、不揮発性メモリ２０１に記憶し直すことが可能となる。Ｓ８０４で選択した「測距モード変更」機能は操作部材２３０に割り当てられ、再装着位置の位置情報をと共に不揮発性メモリ２０１に記憶される。この時、タッチパネル１１に表示される操作部材表示２２１を「ＡＦ」から「測距モード選択」に切替え、フローを終了する。
【００６５】
次に、図９から図１１を用いて本実施例の、操作部材２２０を取り外し、操作部としての機能を停止する方法について説明する。
【００６６】
図９では、図５ａおよび図５ｂで前述した通り、タッチパネル１１から操作部材２３０が取り外された事を、デジタルカメラ１００が検知し、ユーザーが操作部材２３０にどのような設定をするのかを問うフローチャートである。ユーザーが操作部材２３０を取り外すと静電容量の変化を検知しＳ１３０１へ進む。
【００６７】
Ｓ１３０１について、図１０ａを用いて説明する。図１０ａでは、所定の範囲Ｑが設けられている。所定の範囲Ｑは、前述した所定の範囲Ｐと同じ範囲で表示しても良いし、所定の範囲よりも小さい範囲または、大きい範囲で表示しても良い。前述した操作部材２３０の形状は接触時静電容量部２３４を複数備えているため、ユーザーが指で操作するタッチ操作時の、静電容量の検出値が異なり誤検知をしづらい構成となっている。操作部材２３０が再装着されずに所定の範囲Ｑのタッチがなされた場合、ユーザーが操作部材２３０を戻さない可能性がある。所定の範囲Ｑがタッチされない場合は、Ｓ１３０２へ進み、タッチされた場合はＳ１３０３へ進む。操作部材２３０が取り外された場合、デジタルカメラ１００はユーザーに知らしめるために、所定の範囲Ｑまたは、操作部材表示２２１を点滅させたり、色を変更したりしても良い。
【００６８】
Ｓ１３０２では、操作部材２３０が取り外されてから所定の時間Ｔが経過したかを判定し、所定の時間Ｔ経過していなかった場合はＳ１３０１へ進み、所定の時間Ｔ経過していた場合は、Ｓ１３０３へ進む。
【００６９】
Ｓ１３０３について図１０ｂおよび図１０ｃを用いて説明する。Ｓ１３０３では、ユーザーが操作部材２３０に対してどのような設定を行いたいかを確認する表示をする。本実施例では、図１０ｂのように「（１）ＡＦボタンの機能をやめる。」「（２）ＡＦボタンをタッチボタンにする。」「（３）別機能のタッチボタンにする。」「（４）再度ＡＦボタンとして配置する。」「（５）別機能のボタンとして配置する。」と表示しているが、どれか一つを表示するようにしても良いし、任意の複数を表示しても良い。
【００７０】
また、別の項目を確認するようにしても構わない。（１）を選択するとＳ１３０４に進み、（２）を選択するとＳ１３０５に進み、（３）を選択するとＳ１３０６に進み、（４）を選択するとＳ１３０７に進み、（５）を選択するとＳ１３０８に進む。
【００７１】
Ｓ１３０４では、ユーザーがＡＦボタン機能をやめる選択をしているので、「ＡＦボタン機能を停止しました」と表示し、操作部材表示２２１の表示をやめ、操作部としての機能を停止している。操作部材２３０の機能を停止すると、Ｓ１３１３に進み、フローを終了する。
【００７２】
Ｓ１３０５を、図１０ｄを用いて説明する。Ｓ１３０５では、ユーザーがタッチボタンとして残す選択をしているので、操作部材表示２２１ではなく、タッチボタン表示８２０に変更をしている。また、操作部材２３０が装着されている間は操作部材２３０が操作された場合に所定の動作を実行していたが、タッチボタン表示８２０はユーザーが指でタッチした場合に所定の動作を実行する。タッチボタンへ表示８２０の変更が完了すると、Ｓ１３１３へ進み、フローを終了する。
【００７３】
Ｓ１３０６を、図１０ｅを用いて説明する。Ｓ１３０６では、ユーザーがＡＦボタン以外の機能のタッチボタンに変更する選択をしている。機能が割り当てられていないタッチボタン表示８２１と、機能の一覧を表示している。本実施例では測距モード変更を選ぶこととする。尚、この一覧は前述したように数や種類を限定するものではない。ユーザーが測距モード変更を選択すると、機能が割り当てられていないタッチボタン表示８２１を、図示はしないが測距モード変更のタッチボタン表示に変更する。変更が完了すると、Ｓ１３１３へ進みフローを終了する。
【００７４】
Ｓ１３０７を、図１０ｆを用いて説明する。Ｓ１３０７では、デジタルカメラ１００はタッチパネル１１に「ボタンを再配置して一度操作してください」と表示し、操作部材表示２２１はそのまま表示しておく。操作部材２３０が再配置されてユーザーの操作が検知されたら、Ｓ１３１２に進む。再配置されたことを検知したが、ユーザーの操作が検知されない場合、Ｓ１３０９に進む。Ｓ１３０９では、Ｓ１３０７に進んでから所定の時間Ｔ２が経過しているかを判定し、所定の時間Ｔ２経過していない場合はＳ１３０７へ進み、ユーザーの操作を待つ。所定の時間Ｔ２経過している場合、Ｓ１３０３に進み、再度ユーザーがどのような設定を行いたいかを確認する。Ｓ１３１２では、図１０ｇで示されるように、新たに配置された位置に操作部材表示２２１を移動し、Ｓ１３１３へ進みフローを終了する。
【００７５】
Ｓ１３０８を、図１０ｈを用いて説明する。Ｓ１３０８では、ユーザーがＡＦ以外の機能で操作部材２３０を再配置することを選択している。図１０ｈのように、タッチパネル１１には機能が割り当てられていない操作部材表示２２２を表示し、ユーザーが操作部材２３０を配置して一度操作したのを検知するとＳ１３１１へ進み、検知できない場合はＳ１３１０へ進む。Ｓ１３１０では、Ｓ１３０８に進んでから所定の時間Ｔ３が経過したかを判定し、経過していない場合はＳ１３０８へ進み、ユーザーの操作を待つ。所定の時間Ｔ３経過している場合、Ｓ１３０３に進み、再度ユーザーがどのような設定を行いたいかを確認をする。
【００７６】
Ｓ１３１１を、図１０ｉを用いて説明する。Ｓ１３１１では、機能が割り当てられていない操作部材表示２２２を再配置された操作部材２３０の位置に移動し、ユーザーに機能の選択を促す。本実施例では、測距モード選択を選択する。ユーザーがタッチパネル１１により測距モード選択を選択すると、図１０ｊに示すように、機能が割り当てられていない操作部材表示２２２を、操作部材表示２２１に変更し、Ｓ１３１３へ進みフローを終了する。図９のフローの途中のいずれかにおいて、電源が切られたり、レリーズボタン１２が操作されるなど、本実施例に記述されていない行為がなされた場合、例えば割り込み処理を実行するようにしてもよい。割り込み処理を用いることで、電源残量が無くなったときや、急遽訪れる撮影指示においても柔軟に対応する事が可能となる。
【００７７】
図１１を用いて図９のフローチャートにおける割り込み処理について説明する。
【００７８】
割り込み処理にはパターンａからｃまで３種類を示すが、これに限定されるものではない。パターンａについて説明する。パターンａは、割り込み処理が発生すると、操作部材表示２２１または、機能が割り当てられていない操作部材表示２２２を強制的にタッチパネル１１を直接触って操作可能な特定のタッチボタン８２０に変更し、フローを終了する。
パターンｂは、割り込み処理が発生しても、操作部材表示２２１または、機能が割り当てられていない操作部材表示２２２を表示したままにする。そして割り込み処理が終了すると、Ｓ１３０３へ進み、ユーザーがどのような設定を行いたいかを確認をする。パターンｃは、割り込み処理が発生すると、操作部材表示２２１を消し、ＡＦボタンとしての機能も停止し、フローを終了する。
【００７９】
以上、本発明の好ましい実施形態について説明したが、本発明はこれらの実施形態に限定されず、その要旨の範囲内で種々の変形および変更が可能である。
【実施例２】
【００８０】
以下に、本発明の第２の実施例による、操作部材の取り外しおよび機能停止方法について説明する。
【００８１】
デジタルカメラ１００の外観および、ブロック図、操作部材２３０については、実施例１と同様である。
【００８２】
本実施例では、操作部材２３０がデジタルカメラ１００に装着されると、操作部材の種類に応じて特定の機能が割り当てられる。操作部材２３０の構成に関しては図３に示し、メカ構成に関しては同様である。
【００８３】
デジタルカメラ１００は、接触時静電容量変化部２３４ａおよび２３４ｂの形状パターンが検出された場合、操作部材２３０が装着されたと判断するように設定されている。本実施例では、接触時静電容量変化部の形状を単純な長方形で、数を２つとし、大きさが異なるといった形状パターンとしたが、例えば形状は三角形でもよく、数も２つ以上の複数でもよく、本実施例によって限定されるものではない。
【００８４】
本実施例においてデジタルカメラ１００は、タッチパネル１１上で操作部材２３０が操作され、操作部材２３０の装着を検知すると、操作部材２３０に対して自動的にＡＦ開始の機能を割り当てる。図１２は操作部材２３０にＡＦ機能が固有的に割り当てられている。そのため、ユーザーが機能を変更することができないので、ユーザーが機能を割り当てられないことを示すために、タッチパネル１１上に四角形のＡＦ操作部材表示２４１が表示されている。本実施例では自動的に機能が割り当てられない操作部材が装着された場合の操作部材表示２２１と形状を変える仕様にしているが、色を変える仕様にしても良いし、形状と色の両方を変える仕様にしても構わない。
【００８５】
図１３を用いて本実施例において、操作部材２３０を移動する方法について説明する。
【００８６】
デジタルカメラ１００が、タッチパネル１１から操作部材２３０が取り外されたことを検知すると、フローが開始し、Ｓ１８０１へ進む。
【００８７】
Ｓ１８０１では、操作部材２３０が再配置され一度操作されたかを判断し、ＹＥＳのときはＳ１８０５に進み、ＮＯのときはＳ１８０２に進む。
【００８８】
Ｓ１８０２では、Ｓ１８０１に進んでから所定の時間Ｔ５経過したかを判定し、Ｔ５経過していた場合はＳ１８０３に進み、Ｔ５経過していない場合はＳ１８０１に進む。
【００８９】
Ｓ１８０３では、ＡＦ操作部材表示２４１をタッチ操作部８２０に変更するかを確認し、「変更する」を選択するとＳ１８０４に進み、「変更しない」を選択するとＳ１８０１に進む。
【００９０】
Ｓ１８０４では、ＡＦ操作部材表示２４１をタッチ操作部８２０に変更し、Ｓ１８０６へ進みフローを終了する。
【００９１】
Ｓ１８０５では、再配置位置にＡＦ操作部材表示２４１を移動し、Ｓ１８０６へ進みフローを終了する。
【００９２】
図１３のフローチャートと固有的に機能を割り当てた操作部材２３０を用いることで、ユーザーは操作部材２３０をタッチパネル１１に取り付け後、機能を割り当てるという煩わしさを解消する事が可能となる。
【００９３】
図１４を用いて本実施例において、操作部材２３０を取り外し、操作部としての機能を停止する方法について説明する。
【００９４】
デジタルカメラ１００が、表示部１１から操作部材２３０が取り外された事を検知すると、フローが開始し、Ｓ１９０１へ進む。
【００９５】
Ｓ１９０１において、システム制御部２００は、操作部材２３０が装着されずに所定の範囲Ｑのタッチがなされた場合、ユーザーが操作部材２３０を戻さない可能性があると判断する。タッチされない場合は、Ｓ１９０２へ進み、タッチされた場合はＳ１９０３へ進む。操作部材２３０と同様に、操作部材２３０が取り外された事をユーザーに知らしめるために、所定の範囲Ｑまたは、ＡＦ操作部材表示２３１を点滅させたり、色を変更したりしても良い。
【００９６】
Ｓ１９０２に進んでから所定の時間Ｔ６経過したかを判定し、Ｔ６経過していた場合はＳ１９０３に進み、Ｔ６経過していない場合はＳ１９０１に進む。
【００９７】
Ｓ１９０３について説明する。Ｓ１９０３では、ユーザーが操作部材２３０に対してどのような設定を行いたいかを確認する表示をする。本実施例では操作部材２３０の機能はＡＦ開始と決まっているので、「（１）ＡＦボタンの機能をやめる。」「（２）ＡＦボタンをタッチボタンにする。」「（３）再度ＡＦボタンとして配置する。」の３種類の選択が可能になる。どれか一つを表示するようにしても良いし、任意の複数を表示しても良い。また、別の項目を確認するようにしても構わない。（１）を選択するとＳ１９０４に進み、（２）を選択するとＳ１９０５に進み、（３）を選択するとＳ１９０６に進む。
【００９８】
Ｓ１９０４では、ユーザーがＡＦボタン機能をやめる選択をしているので、「ＡＦボタン機能を停止しました」と表示し、ＡＦ操作部材表示２４１の表示をやめ、操作部としての機能を停止している。操作部材２３０の機能を停止すると、Ｓ１９０９に進み、フローを終了する。
【００９９】
Ｓ１９０５では、ユーザーがタッチボタンとして残す選択をしているので、ＡＦ操作部材表示２４１ではなく、ＡＦ機能のタッチボタン表示８２０に変更する。また、操作部材２３０が装着されている間は操作部材２３０が操作された場合に所定の動作を実行していたが、タッチボタン表示８２０はユーザーが指でタッチした場合に所定の動作を実行する。
タッチボタンへの変更が完了すると、Ｓ１９０９へ進み、フローを終了する。
【０１００】
Ｓ１９０６では、デジタルカメラ１００はタッチパネル１１に「ボタンを再配置して一度操作してください」と表示し、ＡＦ操作部材表示２４１はそのまま表示しておく。操作部材２３０が再配置されてユーザーの操作が検知されたら、Ｓ１９０８に進む。再配置され、ユーザーの操作が検知されない場合、Ｓ１９０７に進む。
【０１０１】
Ｓ１９０７では、Ｓ１９０６に進んでから所定の時間Ｔ７が経過しているかを判定し、所定の時間Ｔ７経過していない場合はＳ１９０６へ進み、ユーザーの操作を待つ。所定の時間Ｔ７経過している場合、Ｓ１９０３に進み、再度ユーザーがどのような設定を行いたいかを確認する。
【０１０２】
Ｓ１９０８では、新たに配置された位置にＡＦ操作部材表示２４１を移動し、Ｓ１９０９へ進みフローを終了する。固有的に機能を割り当てた操作部材２３０を取り外した状態においても、図１４のフローチャートを用いることで、ユーザーは「ボタン機能の停止」「タッチボタンへの変更」「ボタンの再配置」を迅速に行うことが可能となる。
【０１０３】
以上、本発明の好ましい実施形態について説明したが、本発明はこれらの実施形態に限定されず、その要旨の範囲内で種々の変形および変更が可能である。
【０１０４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０５】
１１  タッチパネル機能を有する表示部、
１００  デジタルカメラ、２０８  表示制御部、２００  システム制御回路、
２０１  記憶部、２０８  表示制御部、２２１  操作部材表示、
２３０  操作部材
【図１】
2019075637.tif 000003
【図２】
2019075637.tif 000004
【図３ａ】
2019075637.tif 000005
【図３ｂ】
2019075637.tif 000006
【図３ｃ】
2019075637.tif 000007
【図４ａ】
2019075637.tif 000008
【図４ｂ】
2019075637.tif 000009
【図５】
2019075637.tif 000010
【図６】
2019075637.tif 000011
【図７ａ】
2019075637.tif 000012
【図７ｂ】
2019075637.tif 000013
【図７ｃ】
2019075637.tif 000014
【図８ａ】
2019075637.tif 000015
【図８ｂ】
2019075637.tif 000016
【図８ｃ】
2019075637.tif 000017
【図９】
2019075637.tif 000018
【図１０ａ】
2019075637.tif 000019
【図１０ｂ】
2019075637.tif 000020
【図１０ｃ】
2019075637.tif 000021
【図１０ｄ】
2019075637.tif 000022
【図１０ｅ】
2019075637.tif 000023
【図１０ｆ】
2019075637.tif 000024
【図１０ｇ】
2019075637.tif 000025
【図１０ｈ】
2019075637.tif 000026
【図１０ｉ】
2019075637.tif 000027
【図１０ｊ】
2019075637.tif 000028
【図１１】
2019075637.tif 000029
【図１２】
2019075637.tif 000030
【図１３】
2019075637.tif 000031
【図１４】
2019075637.tif 000032